(57)【要約】【課題】  本発明の目的は、簡単な作業で管継手部の配設管に対する接続方向を変更自在とし、更に、管継手部の配設管に対する接続方向を変更してもシール部材の紛失や取り付け不良を防止することができるガス栓を提供する点にある。【解決手段】  ガスソケット１３に接続され該ガスソケット１３側にガスを供給するプラグ部２１が形成されたプラグ部材２と、配設管１６に接続され該配設管１６側からガスが供給される管継手部３１が形成された継手部材３とを連結してなり、プラグ部材２１が壁面に固定され、プラグ部材２と継手部材３との連結部４が管継手部３１の配設管１６に対する接続方向を変更自在な接続方向変更機構４１として構成されているガス栓において、接続方向変更機構４１が、プラグ部材２と継手部材３とを連結したまま管継手部３１の配設管１６に対する接続方向を変更自在に構成されている。【選択図】        図３
2006052758.tif 000002
【特許請求の範囲】
【請求項１】
ガスソケットに接続され該ガスソケット側にガスを供給するプラグ部が形成されたプラグ部材と、配設管に接続され該配設管側からガスが供給される管継手部が形成された継手部材とを連結してなり、前記プラグ部材が壁面に固定され、前記プラグ部材と前記継手部材との連結部が前記管継手部の前記配設管に対する接続方向を変更自在な接続方向変更機構として構成されているガス栓であって、
前記接続方向変更機構が、前記プラグ部材と前記継手部材とを連結したまま前記管継手部の前記配設管に対する接続方向を変更自在に構成されているガス栓。
【請求項２】
前記連結部が、前記壁面よりも室内側に配置されている請求項１に記載のガス栓。
【請求項３】
前記接続方向変更機構が、前記管継手部の前記配設管に対する接続方向を前記壁面と垂直な壁面垂直方向と前記壁面と平行な壁面平行方向とに変更自在とするように構成されている請求項１又は２に記載のガス栓。
【発明の詳細な説明】
【技術分野】
【０００１】
本発明は、ガスソケットに接続され該ガスソケット側にガスを供給するプラグ部が形成されたプラグ部材と、配設管に接続され該配設管側からガスが供給される管継手部が形成された継手部材とを連結してなり、前記プラグ部材が壁面に固定され、前記プラグ部材と前記継手部材との連結部が前記管継手部の前記配設管に対する接続方向を変更自在な接続方向変更機構として構成されているガス栓に関する。
【背景技術】
【０００２】
上記のようなガス栓は、ファンヒータや炊飯器などのガス機器にガス供給するためのものであり、プラグ部が形成されたプラグ部材を有し、ガス機器用のガスソケットがそのプラグ部に接続されることによって、プラグ部からガスソケット側にガスを供給するように構成されている。
【０００３】
更に、この種のガス栓として、側壁や床などの壁面に増設が容易なケースガス栓と呼ばれるものがあり、このケースガス栓は、壁面に室内側に突出する形態で設けられるケース内に上記プラグ部材と上記継手部材とが設けられており、そのプラグ部材が壁面に固定されていると共に、配設管に接続され該配設管側からガスが供給される管継手部が形成された継手部材を、そのプラグ部材に連結するように構成されている。また、プラグ部材と継手部材との連結部が、壁面よりも室内側に配置され、且つ、プラグ部材と継手部材との連結部が管継手部の配設管に対する接続方向を変更自在な接続方向変更機構として構成されている。そして、このケースガス栓は、上記接続方向変更機構により、管継手部の配設管に対する接続方向を変更自在となることにより、側壁や床などの壁面の表側（室内側）に沿って敷設された配設管に対しては、管継手部の配設管に対する接続方向を壁面と平行な壁面水平方向として、管継手部を壁面に沿って側方からケースに挿入される配設管に接続することができ、一方、壁面の裏側（室内とは反対側）に沿って敷設された配設管に対しては、管継手部の配設管に対する接続方向を壁面と垂直な壁面垂直方向として、管継手部を、壁面を貫通する形態で配設管に接続することができる。
【０００４】
上記のようなプラグ部材と継手部材の連結部が接続方向変更機構として構成されたガス栓としては、プラグ部材に対して継手部材がねじなどにより着脱自在に構成され、且つ、継手部材をプラグ部材から取り外した状態、即ち、プラグ部材と継手部材との連結を解除した状態で、管継手部の配設管に対する接続方向を所望の方向にして、継手部材をプラグ部材に装着することができるものが知られている（例えば、特許文献１を参照。）。
詳しくは、この特許文献１のガス栓は、継手部材に形成された座部に差し込んだ雄ねじを、管継手部の配設管に対する接続方向を壁面水平方向とした状態と壁面垂直方向とした状態との夫々で、プラグ部材に形成された雌ねじに螺合して継手部材をプラグ部材に固定可能に構成されている。
【０００５】
【特許文献１】実開平５−１０８８１号公報
【発明の開示】
【発明が解決しようとする課題】
【０００６】
しかしながら、上記の特許文献１のガス栓では、配設管の配設状況に応じて管継手部の配設管に対する接続方向を変更する場合に、プラグ部材から継手部材を離脱させるという煩雑な作業を必要とする。
また、プラグ部材を継手部材から離脱させる際に、プラグ部材と継手部材との連結部におけるガス漏洩を防止するためのシール部材の紛失や取り付け不良が発生する恐れがある。
【０００７】
従って、本発明は、上記の課題に鑑みてなされたものであり、その目的は、簡単な作業で管継手部の配設管に対する接続方向を変更自在とし、更に、管継手部の配設管に対する接続方向を変更してもシール部材の紛失や取り付け不良を防止することができるガス栓を提供する点にある。
【課題を解決するための手段】
【０００８】
上記目的を達成するための本発明に係るガス栓は、ガスソケットに接続され該ガスソケット側にガスを供給するプラグ部が形成されたプラグ部材と、配設管に接続され該配設管側からガスが供給される管継手部が形成された継手部材とを連結してなり、前記プラグ部材が壁面に固定され、前記プラグ部材と前記継手部材との連結部が前記管継手部の前記配設管に対する接続方向を変更自在な接続方向変更機構として構成されているガス栓であって、その第１特徴構成は、前記接続方向変更機構が、前記プラグ部材と前記継手部材とを連結したまま前記管継手部の前記配設管に対する接続方向を変更自在に構成されている点にある。
【０００９】
上記第１特徴構成によれば、プラグ部材と継手部材との連結部に構成されている接続方向変更機構における管継手部の配設管に対する接続方向を、配設管の配設状況に応じて、簡単に、プラグ部材と継手部材とを連結したまま変更して、管継手部を配設管に接続することができ、更に、プラグ部材を継手部材から離脱させる必要がないので、プラグ部材と継手部材との連結部におけるシール部材の紛失や取り付け不良を防止することができる。
【００１０】
本発明に係るガス栓の第２特徴構成は、前記連結部が、前記壁面よりも室内側に配置されている点にある。
【００１１】
上記第２特徴構成によれば、プラグ部材と継手部材との連結部が壁面よりも室内側に配置されているので、配設管が壁面の表側（室内側）に沿って敷設されている場合には、接続方向変更機構により管継手部の配設管に対する接続方向を壁面表面に沿う方向とし、配設管が壁面の裏側（室内とは反対側）に沿って敷設されている場合には、接続方向変更機構により管継手部の配設管に対する接続方向を、壁面を貫通する方向として、管継手部を良好な状態で配設管に接続することができる。
【００１２】
本発明に係るガス栓の第３特徴構成は、前記接続方向変更機構が、前記管継手部の前記配設管に対する接続方向を前記壁面と垂直な壁面垂直方向と前記壁面と平行な壁面平行方向とに変更自在とするように構成されている点にある。
【００１３】
上記第３特徴構成によれば、接続方向変更機構が、上記管継手部の配設管に対する接続方向を管継手部の配設管に対する接続方向を上記壁面垂直方向と壁面平行方向との二方向において変更自在とすれば、壁面の裏側から壁面を貫通する方向に配設された配設管に対しては、管継手部の配設管に対する接続方向を壁面垂直方向とし、一方、壁面に平行に配設された配設管に対しては、管継手部の配設管に対する接続方向を壁面平行方向として、管継手部をその配設管に良好な状態で接続することができる。
【発明を実施するための最良の形態】
【００１４】
本発明に係るガス栓の実施の形態について図面に基づいて説明する。
【００１５】
〔第１実施形態〕
先ず、第１実施形態のガス栓１について、図１〜図５に基づいて説明する。
第１実施形態のガス栓１は、壁面１５に取り付けられて、ファンヒータや炊飯器などのガス機器にガス供給するためのものであり、プラグ部２１が形成されたプラグ部材２を有し、ガス機器１１に接続されたガスホース１２のガスソケット１３がそのプラグ部２１に接続されることによって、プラグ部２１からガスソケット１３側にガスを供給するように構成されている。
尚、プラグ部２１に接続されたガスソケット１３は、はずしボタン７が押圧されて、はずし部材８が揺動することにより、プラグ部２１から取り外される。また、このように、プラグ部材２に対してガスソケット１３を簡単に着脱することができるガス栓１をガスコンセントと呼ぶ場合がある。
また、図示は省略するが、ガス栓１は、プラグ部２１にガスソケット１３が接続されたときに、プラグ部２１からのガスの流出を許可し、プラグ部２１からガスソケット１３が取り外されたときに、ガス流路を閉状態とするように構成されている。
【００１６】
このガス栓１は、上記プラグ部材２が、固定板５を介して壁面１５にねじ固定されていると共に、配設管１６に接続され該配設管１６側からガスが供給される管継手部３１が形成された継手部材３が、連結部４においてプラグ部材２に連結するように構成されている。
【００１７】
更に、ガス栓１は、壁面１５に増設が容易なケースガス栓として構成されている。
即ち、上記プラグ部材２と上記継手部材３とは、壁面１５に室内側に突出する形態で設けられるケース６内に設けられている。そして、それらの連結部４が、壁面１５よりも室内側に配置され、且つ、管継手部３１の配設管１６に対する接続方向を変更自在な接続方向変更機構４１として構成されている。
【００１８】
そして、このガス栓１は、上記接続方向変更機構４１により、管継手部３１の配設管１６に対する接続方向を変更自在となることにより、配設管１６が壁面１５の表側（室内側）に沿って敷設されている場合には、図２及び図３に示すように、管継手部３１の配設管１６に対する接続方向を壁面と平行な壁面水平方向として、管継手部３１を壁面に沿って側方からケース６に挿入される配設管１６に接続することができ、一方、配設管１６が壁面１５の裏側（室内とは反対側）に沿って敷設されている場合には、図４及び図５に示すように、管継手部３１の配設管１６に対する接続方向を壁面と垂直な壁面垂直方向として、管継手部３１を壁面１５に形成された貫通穴１５ａを貫通する形態で配設管１６に接続することができる。
尚、図１に示す斜視図は、図４及び図５と同様に、管継手部３１の配設管１６に対する接続方向を壁面と垂直な壁面垂直方向とした状態を示すものである。
【００１９】
以上のようなガス栓１の構成は、公知のガス栓の構成を採用することができるが、以下に、本ガス栓１の特徴構成について説明する。
【００２０】
プラグ部材２と継手部材３との連結部４に構成されている接続方向変更機構４１は、管継手部３１の配設管１６に対する接続方向を、配設管１６の配設状況に応じて、プラグ部材２を継手部材３から離脱させる必要なく簡単に変更するために、プラグ部材２と継手部材３とを連結したまま管継手部３の配設管１６に対する接続方向を変更自在に構成されている。
【００２１】
詳しくは、図３に示すように、プラグ部材２のプラグ部２１とは反対側の円筒状のガス流入部２２が、継手部材３の管接続部３１とは反対側の円筒状のガス流出部３２に、壁面１５と平行な方向に差し込む形態で嵌合接続されている。
また、ガス流入部２２の外面とガス流出部３２の内面との間には、Ｏリング４２が２重に設けられており、このＯリング４２により、ガス流入部２２からガス流出部３２に供給されるガスが外部に漏洩することが防止されている。
更に、ガス流入部２２とガス流出部３２との間には、互いの接続を保持すると共に、ガス流入部２２即ちプラグ部材２に対してガス流出部３２即ち継手部材３を回転自在とする形態で、抜け止めリング４３が設けられている。
【００２２】
そして、継手部材３が、管継手部３１の軸心方向とガス流出部３２の軸心方向との角度が９０°即ちＬ型に形成されていることで、接続方向変更機構４１において、上記プラグ部材２に対する上記継手部材３の回転軸Ｘが、管継手部３１の配設管に対する接続方向に対して９０°の角度を成すものとなり、固定されているプラグ部材２のガス流入部２２に対してガス流出部３３を有する継手部材３が上記回転軸Ｘ周りに回転することで、管継手部３１の配設管１６に対する接続方向が、壁面１５に平行な壁面平行方向と壁面１５に垂直な壁面垂直方向等に変更自在となっている。
【００２３】
〔別実施形態〕
上記実施の形態では、接続方向変更機構４１として構成された連結部４を壁面１５よりも室内側に配置することで、管継手部３１の配設管１６に対する接続方向を壁面１５と平行な壁面水平方向として、壁面１５の表側（室内側）に沿って敷設された配設管１６に管継手部３１を接続するように構成したが、別に、連結部４を壁面１５と重なる位置や裏側に配置しても構わず、更に、このように配置した場合には、管継手部３１の配設管１６に対する接続方向を壁面１５と平行な壁面水平方向としたときに、管継手部３１が壁面１５よりも室内側に位置するように、継手部材３を形成して、壁面１５の表側に沿って敷設された配設管１６に管継手部３１を接続することができる。
【図面の簡単な説明】
【００２４】
【図１】第１実施形態のガス栓の斜視図
【図２】第１実施形態のガス栓の内部構造を示す側面図
【図３】第１実施形態のガス栓の内部構造を示す立面図
【図４】第１実施形態のガス栓の内部構造を示す側面図
【図５】第１実施形態のガス栓の内部構造を示す立面図
【符号の説明】
【００２５】
１：ガス栓
１５：壁面
２１：プラグ部
２：プラグ部材
１３：ガスソケット
３：継手部材
３１：管継手部
４：連結部
４１：接続方向変更機構
Ｘ：回転軸
１６：配設管
【図１】
2006052758.tif 000003
【図２】
2006052758.tif 000004
【図３】
2006052758.tif 000005
【図４】
2006052758.tif 000006
【図５】
2006052758.tif 000007